(57)【特許請求の範囲】
【請求項１】
選択的に割り当てられたパラメータの値を変更可能な操作子と、
前記操作子に割り当てられて前記操作子の操作に応じて設定されるパラメータの値を表示する表示手段と、
前記パラメータの種類に応じた表示態様で、前記パラメータの値を表示するよう点灯制御する表示制御部とを備え、
前記表示部は、パラメータ値をグラフィカルに表示可能な複数の表示エレメントを略円弧状に配置したグラフィカル表示素子と、該グラフィカル表示素子の略中心位置に設置され、前記操作子により前記パラメータが基準値に設定された際に点灯制御される中央表示素子と、前記グラフィカル表示素子と前記中央表示素子との間に設置され、前記グラフィカル表示素子の特定の表示エレメントを基準値として示すことのできる基準値表示素子とを、少なくとも備えていることを特徴とする表示装置。
【請求項２】
前記表示部は、前記パラメータの割り当ての有無を報知する割当表示素子を備えていることを特徴とする前記請求項１記載の表示装置。
【請求項３】
前記操作子は、該操作子へのタッチを検出可能であり、前記表示部は、前記操作子へのタッチ状態を報知するタッチ表示素子を備えていることを特徴とする前記請求項１または２記載の表示装置。
【請求項４】
前記表示部は、前記操作子により前記パラメータが予め定められた上限値または下限値に設定された際に点灯制御されるリミット表示素子を備えていることを特徴とする前記請求項１または２記載の表示装置。
【発明の詳細な説明】
【０００１】
【発明が属する技術分野】
本発明は、選択的に割り当てられたパラメータに応じた表示態様の表示を行えるようにした表示装置に関する。
【０００２】
【従来の技術】
従来、操作子によりパラメータ値を変更することが行われているが、操作子の操作性を向上するために操作に応じて変更されたパラメータ値を表示することが行われている。このようにパラメータ値を表示すると、操作量を目視しながら操作子を操作することができ、容易に操作することができるようになる。
【０００３】
【発明が解決しようとする課題】
ところで、単一の機器においても種々のパラメータがあり、これらのパラメータを変更するのに、パラメータ毎に操作子を設けるようにすると多数の操作子をパネル上に配置しなければならずパネルが大型化するという問題点があった。また、多数の操作子を設けると目的のパラメータを操作する操作子を即座に選択して操作することが困難になるという問題点があった。
そこで、複数のパラメータを操作する操作子として単一の操作子を用い、調整するパラメータを選択することにより単一の操作子により複数のパラメータを調整することが提案されている。この場合、操作子による操作量を表示することが考えられるが、選択されたパラメータの種類によってはパラメータ特有の表示態様があるにもかかわらず、表示器に選択されたパラメータ毎に異なる表示態様で表示することができないという問題点があった。
【０００４】
そこで、本発明は選択的に割り当てられたパラメータに適した表示態様の表示を行えるようにした表示装置を提供することを目的としている。
【０００５】
【課題を解決するための手段】
上記目的を達成するために、本発明の表示装置は、選択的に割り当てられたパラメータの値を変更可能な操作子と、前記操作子に割り当てられて前記操作子の操作に応じて設定されるパラメータの値を表示する表示手段と、前記パラメータの種類に応じた表示態様で、前記パラメータの値を表示するよう点灯制御する表示制御部とを備え、前記表示部は、パラメータ値をグラフィカルに表示可能な複数の表示エレメントを略円弧状に配置したグラフィカル表示素子と、該グラフィカル表示素子の略中心位置に設置され、前記操作子により前記パラメータが基準値に設定された際に点灯制御される中央表示素子と、前記グラフィカル表示素子と前記中央表示素子との間に設置され、前記グラフィカル表示素子の特定の表示エレメントを基準値として示すことのできる基準値表示素子とを、少なくとも備えている。
【０００６】
また、上記本発明の表示装置において、前記表示部は、前記パラメータの割り当ての有無を報知する割当表示素子を備えるようにしてもよい。
【０００７】
さらに、上記本発明の表示装置において、前記操作子は、該操作子へのタッチを検出可能であり、前記表示部は、前記操作子へのタッチ状態を報知するタッチ表示素子を備えるようにしてもよい。
【０００８】
さらにまた、上記本発明の表示装置において、前記表示部は、前記操作子により前記パラメータが予め定められた上限値または下限値に設定された際に点灯制御されるリミット表示素子を備えるようにしてもよい。
【０００９】
このような本発明によれば、パラメータが予め定められた設定値に設定された際に点灯制御される中央表示素子と、パラメータ値をグラフィカルに表示可能な複数の表示エレメントからなるグラフィカル表示素子と、グラフィカル表示素子の特定の表示エレメントを基準値として表示可能な基準値表示素子とをそなえるようにしたので、種々のパラメータが選択されてもパラメータに応じた特有の表示態様で表示を行うことができるようになる。
例えば、パンパラメータのようにパラメータが音の定位位置を示すパラメータの場合は、弧状に配置されているグラフィカル表示素子の内の特定の表示エレメントが操作子で設定した位置に応じて点灯制御されるようになり、表示手段を見ることにより音の定位位置を所定の位置に容易に設定することができるようになる。この場合、音の定位位置が中央位置となるパラメータの値が基準値とされるが、パラメータが基準値に設定された際にはそれを示すように中央表示素子が点灯制御されて、基準値に設定されたことが表示される。さらに、中央に配置されている表示エレメントを指し示す基準値表示素子が点灯制御されて、基準位置と設定された定位位置との関係を容易に認識できるようにしている。
【００１０】
また、音量のようにパラメータがレベルを示すパラメータの場合は、操作子の設定位置に応じてグラフィカル表示素子の表示エレメントがバーグラフ状に点灯制御されるようになり、表示手段を見ることにより音量を所定のレベルに容易に設定することができるようになる。この場合、音量パラメータの基準値は±０ｄＢとされるが、パラメータが基準値に設定された際にはそれを示すように中央表示素子が点灯制御されて、基準値に設定されたことが表示される。さらに、基準値を示す表示エレメントを指し示す基準値表示素子が点灯制御されて、基準位置からのレベル量を容易に認識できるようにしている。
【００１１】
さらに、イコライザのパラメータのように偏移量を示すパラメータの場合は、操作子の設定位置に応じてグラフィカル表示素子の表示エレメントが中央に配置された前記表示エレメントから左または右にバーグラフ状に点灯制御されるようになり、表示手段を見ることによりパラメータを所定の偏移量に容易に設定することができるようになる。この場合、偏移量の基準値は±０とされるが、パラメータが基準値に設定された際にはそれを示すように中央表示素子が点灯制御されて、基準値に設定されたことが表示される。さらに、±０の偏移量を示す表示エレメントを指し示す基準値表示素子が点灯制御されて、基準位置からの偏移量を容易に認識できるようにしている。
さらにまた、スイッチのパラメータのようにオン／オフを示すパラメータの場合は、オン／オフに応じてグラフィカル表示素子における全表示エレメントが点灯または消灯されるように点灯制御されるようになり、オン／オフパラメータを容易に設定することができるようになる。
【００１２】
【発明の実施の形態】
多数のマイクロホンあるいは電気・電子楽器などの出力のレベルや周波数特性を調整し、ミキシングしていくつかのグループにまとめてパワーアンプに送り出すミキシング・コンソールが知られている。ミキシング・コンソールを操作するミキサーマンは、各楽器の音量や音色を、ミキシング・コンソールに備えられた各種操作子を操作することにより、演奏を最もふさわしく表現していると思われる状態に調整している。ミキシング・コンソールは、入力信号系列として複数のマイク／ライン入力の入力チャンネルを備え、入力信号系列をプログラムした出力信号系列である複数の出力チャンネルを備えている。入力信号系列における各入力チャンネルの信号は、一般にヘッドアンプにより増幅されて信号処理部に出力される。そして、信号処理部において周波数特性、遅延時間およびレベルが調整されて、プログラムされた組み合わせにおいてミキシングされる。次いで、出力フェーダにより任意の出力レベルになるように設定されて出力チャンネルの１つに出力される。
【００１３】
本発明の実施の形態にかかる表示装置はこのようなミキシング・コンソールに適用されており、本発明の表示装置が適用されたミキシング・コンソールの概略構成を図１に示す。
図１に示すように本発明の実施の形態にかかる表示装置が適用されているミキシング・コンソール１は、アナログ・ディジタル変換器群（ＡＤＣｓ）１３，ディジタル入力インタフェース（ＤＩＮ  Ｉ／Ｆ）１４を備える入力部と、ＤＳＰ（Digital Signal Processor）１５を備える信号処理部と、ディジタル・アナログ変換器群（ＤＡＣｓ）１６，ディジタル出力インタフェース（ＤＯＵＴ  Ｉ／Ｆ）１７を備える出力部を備えている。さらに、ミキシング・コンソール１は、ミキシング・コンソール１の全体の動作を制御すると共に、ミキシング操作に応じてミキシング制御信号を生成しているＣＰＵ（Central Processing Unit）１０と、ＣＰＵ１０が実行するミキシング制御プログラム等の動作ソフトウェアや、ＣＰＵ１０のワークエリアや各種データ等が記憶されるＲＯＭ（Read Only Memory）／ＲＡＭ（Random Access Memory）１１を備えている。
【００１４】
さらにまた、ミキシング・コンソール１には本発明にかかる表示装置が操作パネル１２に備えられている。この操作パネル１２には、多数の操作子が設けられており、この操作子を操作することにより種々のパラメータの値を変更することができる。この場合、操作子により変更されつつあるパラメータ値を表示部に表示することができる。例えば、ミキシングされる各過程におけるディジタル信号のレベルをバーグラフ状に表示することができると共に、選択的に割り当てられたパラメータの種類に合わせて表示態様を切り換えて表示することができるようになされている。各ブロックは、バスライン１８を介してデータやコマンドの授受を行っている。
【００１５】
また、ＡＤＣｓ１３にはｉ個のアナログ入力端子Ａ−ＩＮＰＵＴから入力されたアナログ入力信号が入力されており、ＤＩＮ  Ｉ／Ｆ１４にはｊ個のディジタル入力端子Ｄ−ＩＮＰＵＴから入力されたディジタル入力信号が入力されている。ＡＤＣｓ１３により変換されたディジタル信号と、ＤＩＮ  Ｉ／Ｆ１４から出力されたディジタル信号は、ＤＳＰ１５に入力され、ＤＳＰ１５において周波数特性を調整するイコライザ処理、遅延時間を調整するディレイ処理、定位位置の調整や音量の調整を行うパン／レベル処理、および、プログラムされた組み合わせにおけるミキシング処理が行われる。次いで、ミキシング出力はＤＡＣｓ１６あるいはＤＯＵＴ  Ｉ／Ｆ１７に供給され、ＤＡＣｓ１６においてアナログ信号に変換されて出力チャンネルの１つから出力されたり、あるいはＤＯＵＴ  Ｉ／Ｆ１７からディジタル信号のまま出力チャンネルの１つに出力される。
【００１６】
ここで、ＤＳＰ１５により行われる処理を等価的なハードウェアブロックで示すと図２に示すようになる。
図２に示すように、ＤＳＰ１５からなる処理部にはディジタル信号がｋ個の入力端子ＩＮ１，ＩＮ２，・・・・ＩＮｋに入力可能とされている。これらの各入力端子を備えるｋ個のチャンネルの処理系列が並列に配置されて、それぞれの処理系列において同様の処理が行われる。入力端子ＩＮ１を備える第１チャンネルの処理系列について説明すると、入力端子ＩＮ１から入力されたディジタル信号は、３バンドの第１イコライザ（ＥＱ１）２０ａにおいて低域、中域、高域のバンド毎のＱ、ゲイン、周波数特性を調整することができる。次いで、第１遅延回路（ＤＥＬＡＹ１）２１ａにおいて遅延時間を調整することができ、さらに、第１増幅器（ＡＵＸ１／ＰＡＮ１）２２ａによりレベルや定位位置を調整することができる。そして、第１ミキシングスイッチ（ＡＵＸ１）２３ａにより、第１チャンネルの出力をミキンシングするか否かを制御することができる。第２チャンネルないし第ｋチャンネルの処理系列においても同様の処理が行われ、第１チャンネルないし第ｋチャンネルの出力は、ミキサ２４によりミキシングされてＡＵＸＯＵＴとして出力される。
【００１７】
従って、各処理系列におけるパラメータは図３に示すように、増幅器２２ａ〜２２ｋにおける定位位置のパラメータＰＡＮ、増幅器２２ａ〜２２ｋにおけるチャンネルの出力レベルのパラメータＡＵＸ、３バンドイコライザ２０ａ〜２０ｋにおける低域Ｑ調整パラメータＥＱ  ＬＯＷ  Ｑ、３バンドイコライザ２０ａ〜２０ｋにおける低域周波数調整パラメータＥＱ  ＬＯＷ  Ｆ、３バンドイコライザ２０ａ〜２０ｋにおける低域ゲイン調整パラメータＥＱ  ＬＯＷ  Ｇ、３バンドイコライザ２０ａ〜２０ｋにおける中域Ｑ調整パラメータＥＱ  ＭＩＤ  Ｑ、３バンドイコライザ２０ａ〜２０ｋにおける中域周波数調整パラメータＥＱ  ＭＩＤ  Ｆ、３バンドイコライザ２０ａ〜２０ｋにおける中域ゲイン調整パラメータＥＱ  ＭＩＤ  Ｇ、３バンドイコライザ２０ａ〜２０ｋにおける高域Ｑ調整パラメータＥＱ  ＨＩＧＨ  Ｑ、３バンドイコライザ２０ａ〜２０ｋにおける高域周波数調整パラメータＥＱ  ＨＩＧＨ  Ｆ、３バンドイコライザ２０ａ〜２０ｋにおける高域ゲイン調整パラメータＥＱ  ＨＩＧＨ  Ｇ、遅延回路２１ａ〜２１ｋにおける遅延時間パラメータＤＥＬＡＹ  ＴＩＭＥ、ミキシングスイッチ２３ａ〜２３ｋにおけるオン／オフパラメータＡＵＸ  ＯＮ／ＯＦＦとなる。
【００１８】
これらのパラメータは、各チャンネル毎に操作子として備えられたロータリエンコーダにより各パラメータ値を調整できるようになされている。ロータリエンコーダが備えられている操作パネルの構成を図４に示す。ただし、図４に示す操作パネルの構成は操作パネル１２における一部の構成である。操作パネル１２には、図３に示す種々のパラメータを編集操作することのできるロータリエンコーダ３０ａ、３０ｂ・・・３０ｋが、各チャンネル毎に設けられている。そして、ロータリエンコーダ３０ａ、３０ｂ・・・３０ｋを操作する際に、編集操作されるパラメータ値を表示する表示部３１がロータリエンコーダ３０ａ、３０ｂ・・・３０ｋ毎に設けられている。
【００１９】
すなわち、表示部３１には各チャンネル毎の表示器３２ａ、３２ｂ、・・・・・３２ｋが設けられている。また、ロータリエンコーダ３０ａ、３０ｂ・・・３０ｋに設定するパラメータを割り当てるスイッチボタンが３個設けられている。スイッチボタンの内のＰＡＮスイッチボタン３３を操作すると、ロータリエンコーダ３０ａ、３０ｂ・・・３０ｋにおいて定位位置を定めるＰＡＮパラメータを調整することができるようになる。この際に、表示器３２ａ、３２ｂ、・・・・・３２ｋは、ＰＡＮパラメータを表示するに適した表示態様でＰＡＮパラメータ値が表示される。また、スイッチボタンの内のＡＵＸスイッチボタン３４を操作すると、ロータリエンコーダ３０ａ、３０ｂ・・・３０ｋにおいて出力レベルを定めるＡＵＸパラメータを調整することができるようになる。この際に、表示器３２ａ、３２ｂ、・・・・・３２ｋは、ＡＵＸパラメータを表示するに適した表示態様でＡＵＸパラメータ値が表示される。さらに、スイッチボタンの内のアサインスイッチボタン３５を操作すると、ロータリエンコーダ３０ａ、３０ｂ・・・３０ｋにおいてアサインスイッチボタン３５に予め割り当てられているパラメータを調整することができるようになる。この際に、表示器３２ａ、３２ｂ、・・・・・３２ｋは、そのパラメータを表示するに適した表示態様でそのパラメータ値が表示される。
【００２０】
次に、表示器３２ａ、３２ｂ、・・・・・３２ｋの詳細構成を図５に示す。表示器３２ａ、３２ｂ、・・・・・３２ｋは全て同様の構成とされており、ここでは表示器３２として示している。表示器３２は、中央に配置されている矩形状の形状とされている中央表示素子４０と、中央表示素子４０の上に配置されている頂点が上方を示している三角形の形状とされている上三角表示素子４１と、中央表示素子４０の左側に配置されている頂点が左を示している三角形の形状とされている左三角表示素子４２と、中央表示素子４０の右側に配置されている頂点が右を示している三角形の形状とされている右三角表示素子４３と、中央表示素子４０の下に配置されている頂点が下方を示している三角形の形状とされている下三角表示素子４６とを備えている。さらに、表示器３２において、表示素子４０，４１，４２，４３，４６を取り囲むように略涙滴型の形状とされている複数のバーグラフ表示素子４４が円弧状に配置されており、このバーグラフ表示素子４４の外側に円弧状の形状とされている外枠表示素子４５が配置されている。なお、バーグラフ表示素子４４は、例えば１３個の表示エレメント４４ａ〜４４ｍから構成されている。
【００２１】
本発明の表示装置においては、この表示器３２における表示態様が特徴点とされており、表示態様はロータリエンコーダ３０ａ、３０ｂ・・・３０ｋ（以下、「ロータリエンコーダ３０」として表す）に割り当てられるパラメータに適した表示態様とされる。以下、図６ないし図１０に示す表示態様を参照しながら、表示器３２における表示態様について説明する。
図６（ａ）（ｂ）は、ＰＡＮスイッチボタン３３を操作してロータリエンコーダ３０にＰＡＮパラメータが割り当てられ、このＰＡＮパラメータを編集操作して定位位置を調整する際の表示器３２の表示態様が示されている。ＰＡＮパラメータでは、音の定位位置が可変されることから表示器３２では音の定位位置が表示される。すなわち、音の定位位置を１３個の円弧状に配列されている表示エレメント４４ａ〜４４ｍを選択的に点灯するように点灯制御して示している。
【００２２】
例えば、ロータリエンコーダ３０を左回転させた際の表示態様が図６（ａ）に示されている。この図６（ａ）では表示エレメント４４ｄ，４４ｅが点灯するよう点灯制御されて、編集操作された定位位置は表示エレメント４４ｄ，４４ｅ間の方向であることが表示されている。また、ロータリエンコーダ３０を操作して定位位置が中央になるよう編集操作した際の表示態様が図６（ｂ）に表示されている。この図６（ｂ）では表示エレメント４４ａ〜４４ｍの内の中央に位置する表示エレメント４４ｇが点灯するよう点灯制御されて定位位置が中央であることが表示される。なお、パンの基準定位位置は中央であり、定位位置が中央とされている際のＰＡＮパラメータがノミナル値のパラメータとされる。基準定位位置は表示エレメント４４ｇが示す方向であり、基準定位位置を示すために図６（ａ）（ｂ）に示すように上三角表示素子４１が点灯するよう点灯制御される。さらに、ロータリエンコーダ３０を操作してＰＡＮパラメータがノミナル値とされて基準定位位置に設定された際には、そのことを示すために図６（ｂ）に示すように中央表示素子４０が点灯するよう点灯制御される。また、外枠表示素子４５は常時点灯される。
【００２３】
次に、図７（ａ）（ｂ）は、ＡＵＸスイッチボタン３４を操作してロータリエンコーダ３０にＡＵＸパラメータが割り当てられ、このＡＵＸパラメータを編集操作してレベルを調整する際の表示器３２の表示態様が示されている。ＡＵＸパラメータでは、出力レベルが可変されることから表示器３２では出力レベルがバーグラフ状に表示される。すなわち、１３個の円弧状に配列されている表示エレメント４４ａ〜４４ｍを、出力レベルに応じてバーグラフ状に点灯するように点灯制御してパラメータ値を示している。
【００２４】
例えば、ロータリエンコーダ３０を左回転させて出力レベルを絞った際の表示態様が図７（ａ）に示されている。この図７（ａ）では表示エレメント４４ａ〜４４ｅが点灯するように点灯制御されて、編集操作された出力レベルのピーク値が表示エレメント４４ｅで示すレベルであることが表示されている。また、ロータリエンコーダ３０を右回転させて出力レベルを上げるよう編集操作した際の表示態様が図７（ｂ）に表示されている。この図７（ｂ）では表示エレメント４４ａ〜４４ｋが点灯するよう点灯制御されて出力レベルのピーク値が表示エレメント４４ｋで示すレベルであることが表示されている。なお、出力レベルの基準レベルは±０ｄＢであり、出力レベルが基準レベルとされた際のＡＵＸパラメータがノミナル値とされる。出力レベルは表示エレメント４４ｋが示すレベルであり、基準レベルであることを示すために、図７（ａ）（ｂ）に示すように右三角表示素子４３が点灯するよう点灯制御される。さらに、ロータリエンコーダ３０を操作してＡＵＸパラメータ値がノミナル値とされて基準レベルに設定された際には、そのことを示すために図７（ｂ）に示すように中央表示素子４０が点灯制御される。また、外枠表示素子４５は常時点灯される。
【００２５】
次に、図８（ａ）（ｂ）ないし図１０（ａ）（ｂ）は、アサインスイッチボタン３５を操作してロータリエンコーダ３０にアサインされたパラメータが割り当てられた際の、当該パラメータを編集操作する場合における表示器３２の表示態様が示されている。図８（ａ）はアサインスイッチボタン３５にパラメータが割り当てられていない際の表示態様を示している。この場合、表示器３２ではパラメータが割り当てられていないことから全ての表示素子が消灯される。
【００２６】
図８（ｂ）は、低域Ｑ調整パラメータＥＱ  ＬＯＷ  Ｑ、低域周波数調整パラメータＥＱ  ＬＯＷ  Ｆ、中域Ｑ調整パラメータＥＱ  ＭＩＤ  Ｑ、中域周波数調整パラメータＥＱ  ＭＩＤ  Ｆ、高域Ｑ調整パラメータＥＱ  ＨＩＧＨ  Ｑ、高域周波数調整パラメータＥＱ  ＨＩＧＨ  Ｆ、遅延時間パラメータＤＥＬＡＹＴＩＭＥのいずれかのパラメータがアサインスイッチボタン３５に割り当てられた際の表示態様を示している。この場合、表示器３２ではロータリエンコーダ３０の操作に応じてパラメータ値がバーグラフ状に表示される。すなわち、１３個の円弧状に配列されている表示エレメント４４ａ〜４４ｍを、パラメータ値に応じてバーグラフ状に点灯するように点灯制御している。これらのパラメータには基準パラメータ値がないので、設定されたパラメータ値によらず中央表示素子４０，三角表示素子４１，４２，４３，４６は消灯される。また、外枠表示素子４５は常時点灯される。
【００２７】
図９（ａ）（ｂ）は、低域ゲイン調整パラメータＥＱ  ＬＯＷ  Ｇ、中域ゲイン調整パラメータＥＱ  ＭＩＤ  Ｇ、高域ゲイン調整パラメータＥＱ  ＨＩＧＨＧのいずれかのパラメータがアサインスイッチボタン３５に割り当てられた際の表示態様を示している。これらのパラメータの場合は、基準ゲインから偏移した差分のゲインが表示されるようになる。すなわち、中央に配置された表示エレメント４４ｇで示すゲインが基準ゲインとなり、ロータリエンコーダ３０を左回転させて基準ゲインよりマイナスのゲインに設定すると、図９（ａ）に示すように中央の表示エレメント４４ｇないし左側に位置する表示エレメント４４ｄまでがバーグラフ状に点灯するよう点灯制御される。また、ロータリエンコーダ３０を右回転させて基準ゲインよりプラスのゲインに設定すると、図９（ｂ）に示すように中央の表示エレメント４４ｇないし右側に位置する表示エレメント４４ｌまでがバーグラフ状に点灯するよう点灯制御される。また、基準ゲインは表示エレメント４４ｇで表示され、基準ゲインを示すために図９（ａ）（ｂ）に示すように上三角表示素子４１が点灯するよう点灯制御される。また、外枠表示素子４５は常時点灯される。
【００２８】
図１０（ａ）（ｂ）は、第１ミキシングスイッチ（ＡＵＸ１）２３ａないし第ｋミキシングスイッチ（ＡＵＸｋ）２３ｋ（以下、「ミキシングスイッチ２３」と記す）のオン／オフパラメータがアサインスイッチボタン３５に割り当てられた際の表示態様を示している。このオン／オフパラメータの場合は、ミキシングスイッチ２３のオンとオフを示すだけであるので、ロータリエンコーダ３０を右回転させてミキシングスイッチ２３をオンに設定すると、図１０（ａ）に示すように中央表示素子４０ないし三角表示素子４１，４２，４３，４６を除くバーグラフ表示素子４４の表示エレメント４４ａ〜４４ｍと外枠表示素子４５とが点灯するよう点灯制御される。また、ロータリエンコーダ３０を左回転させてミキシングスイッチ２３をオフと設定すると、図１０（ｂ）に示すように外枠表示素子４５のみが点灯し、残る表示素子は全て消灯するように点灯制御される。
【００２９】
なお、以上の説明では下三角表示素子４６は利用されていないが、パラメータの第２の所定値を設定するようにして、パラメータ値が第２の所定値に達した際に下三角表示素子４６を点灯させて、第２の所定値にパラメータ値が設定されたことを表示させてもよい。さらに、パラメータ値が最小値（下限値）あるいは最大値（上限値）に到達した際に下三角表示素子４６を点灯させて、パラメータ値が最小値（下限値）あるいは最大値（上限値）に設定されたことを表示させてもよい。あるいは、図示していない操作子や出力フェーダにタッチした際に下三角表示素子４６を点灯させるようにして、操作子の操作の検出表示を行うようにしてもよい。
【００３０】
次に、ＣＰＵ１０が実行するメインプログラムのフローチャートを図１１に示す。
ミキシング・コンソール１の電源が投入されるとメインプログラムが開始され、ステップＳ１にて初期化処理が行われる。初期化処理では、各種レジスタのリセットやパラメータ値の初期化等の処理が行われる。次いで、ステップＳ２にてロータリエンコーダ処理が行われる。このロータリエンコーダ処理については後述するが、ロータリエンコーダ３０の操作に応じてパラメータ値を設定すると共に、ロータリエンコーダ３０に割り当てられたパラメータに適した表示を表示器３２に表示させる処理が行われる。このロータリエンコーダ処理が終了すると、ステップＳ３にてＤＳＰ１５にミキシング処理等を実行させるその他の処理が行われる。ステップＳ３の処理が終了すると、ステップＳ２に戻りステップＳ２とステップＳ３の処理が繰り返し行われる。これにより、ロータリエンコーダ３０により編集操作されたパラメータ値が反映されたミキシング処理が、ミキシング・コンソール１において行われるようになる。
【００３１】
次に、メインプログラムのステップＳ２で実行されるロータリエンコーダ処理のフローチャートを図１２，図１３，図１４，図１５に示す。
ロータリエンコーダ処理が開始されると、ステップＳ１０にてロータリエンコーダ機能選択処理が行われる。このロータリエンコーダ機能選択処理では、ＰＡＮスイッチボタン３３が操作された時にはＰＡＮパラメータを調整するモードが選択され、ＡＵＸスイッチボタン３４が操作された時にはＡＵＸパラメータを調整するモードが選択され、アサインスイッチボタン３５が操作された時にはアサインスイッチボタン３５に割り当てられているパラメータを調整するモードが選択される。次いで、ステップＳ１１にてチャンネル番号ｎが“１”とされる。次いで、ステップＳ１２にてチャンネル１のロータリエンコーダ３０ａの操作量を検出する操作量検出処理が開始される。
【００３２】
そして、ステップＳ１３にてチャンネル１のロータリエンコーダ３０ａを回転操作したか否かが判断され、ここで、回転操作したと判断された場合はステップＳ１４に進みロータリエンコーダ３０ａの操作量がチャンネル１のロータリエンコーダ値レジスタ（REVALUE）に格納される。この場合、ロータリエンコーダ３０ａを右回転した時の操作量が正、左回転した時の操作量が負となる。さらに、ステップＳ１５にてロータリエンコーダのモードがＰＡＮパラメータを調整するモード（PAN）か否かが判断される。ここで、ステップＳ１０のロータリエンコーダ機能選択処理においてＰＡＮパラメータを調整するモードが選択されていると、ステップＳ１６に進む。ステップＳ１６では、パンの基準定位位置が中央であることを示すためにチャンネル１の表示器３２ａにおける上三角表示素子（△ｕ）４１と、外枠表示素子４５が点灯される。次いで、ステップＳ１７にてチャンネル１のＰＡＮパラメータ値（PANVALUE）が演算されて求められる。この場合、パン関数（Fpan）の変数としてチャンネル１のロータリエンコーダ値レジスタ（REVALUE）に格納されている値を用いて演算されたパン操作量（Fpan[REVALUE]）が、前回のチャンネル１のＰＡＮパラメータ値に加算されてチャンネル１のＰＡＮパラメータ値（PANVALUE）が求められる。なお、パン関数としてはロータリエンコーダの操作量に重み付けする関数や、操作量を非直線変換する関数とされる。また、定位位置が最も左にされた時のパンパラメータ値が“−１”、定位位置が最も右にされた時のＰＡＮパラメータ値が“１”となり、ＰＡＮパラメータ値はこの範囲内となる。
【００３３】
次いで、チャンネル１の表示器３２ａにおけるバーグラフ表示素子４４におけるステップＳ１７で求められたＰＡＮパラメータ値（PANVALUE）に対応する位置の表示エレメントがステップＳ１８にて点灯されて、定位位置が表示される。さらに、ステップＳ１９にてステップＳ１７で求められたＰＡＮパラメータ値（PANVALUE）が“０”、すなわち中央である基準定位位置に設定されているか否かが判断され、基準定位位置に設定されている場合は、ステップＳ２０にてチャンネル１の表示器３２における矩形の中央表示素子４０が点灯される。また、ＰＡＮパラメータ値（PANVALUE）が“０”でない場合は、ステップＳ２１にて矩形の中央表示素子４０が消灯される。ステップＳ２０あるいはステップＳ２１の処理が終了すると、ステップＳ２２にてチャンネル番号ｎが“ｋ”となって最後のチャンネルｋの処理がなされたか否かが判断されるが、この場合はチャンネル１の処理を行ったので、Ｎと判断されてステップＳ２３に分岐する。ステップＳ２３ではチャンネル番号ｎが１つだけインクリメントされてチャンネル２とされる。なお、ステップＳ１３にてロータリエンコーダ３０ａを回転操作していないと判断された場合は、ステップＳ２２にジャンプするようになる。そして、ステップＳ２３の処理が終了するとステップＳ１２に戻りチャンネル２におけるロータリエンコーダ３０ｂの操作に応じた処理が、ステップＳ１２ないしステップＳ２１にて行われる。このようにして、ステップＳ１２ないしステップＳ２１の処理が繰り返し行われることにより、チャンネル１〜チャンネルｋにおけるＰＡＮパラメータ値をロータリエンコーダ３０ａ〜３０ｋの操作に応じて調整する処理が行われるようになる。そして、ステップＳ２２にてチャンネル番号ｎが“ｋ”に達したと判断されると、ロータリエンコーダ処理は終了しメインプログラムにリターンするようになる。
【００３４】
また、ステップＳ１５にてロータリエンコーダのモードがＰＡＮパラメータを調整するモードではないと判断されると、▲１▼で示される図１３におけるステップＳ３０に進む。ステップＳ３０では、ロータリエンコーダのモードがＡＵＸパラメータを調整するモード（AUX）か否かが判断される。ここで、ステップＳ１０のロータリエンコーダ機能選択処理においてＡＵＸパラメータを調整するモードが選択されていると、ステップＳ３１に進む。ステップＳ３１では、出力レベルであるＡＵＸパラメータの基準レベルが±０ｄＢであることを示すためにチャンネル１の表示器３２ａにおける右三角表示素子（△ｒ）４３と、外枠表示素子４５が点灯される。次いで、ステップＳ３２にてチャンネル１のＡＵＸパラメータ値（AUXVALUE）が演算されて求められる。この場合、ＡＵＸ関数（Faux）の変数としてチャンネル１のロータリエンコーダ値レジスタ（REVALUE）に格納されている値を用いて演算されたＡＵＸ操作量（Faux[REVALUE]）が、前回のチャンネル１のＡＵＸパラメータ値に加算されてチャンネル１のＡＵＸパラメータ値（AUXVALUE）が求められる。なお、ＡＵＸ関数としてはロータリエンコーダの操作量に重み付けする関数や、操作量を非直線変換する関数とされる。また、例えば最小音量レベルであるＡＵＸパラメータ値は−９６ｄＢとされ、最大音量レベルであるＡＵＸパラメータ値は１２ｄＢとされ、ＡＵＸパラメータ値はこの範囲内とされる。
【００３５】
次いで、チャンネル１の表示器３２ａのバーグラフ表示素子４４における表示エレメント４４ａから、ステップＳ３２で求められたＡＵＸパラメータ値（AUXVALUE）に対応する位置までの表示エレメントがステップＳ３３にて点灯される。さらに、ステップＳ３４にてステップＳ３２で求められたＡＵＸパラメータ値（AUXVALUE）が０ｄＢ、すなわち基準音量レベルに設定されているか否かが判断され、ここでＡＵＸパラメータ値が基準音量レベルに設定されている場合は、ステップＳ３５にてチャンネル１の表示器３２における矩形の中央表示素子４０が点灯される。また、ＡＵＸパラメータ値（AUXVALUE）が０ｄＢでない場合は、ステップＳ３６にて矩形の中央表示素子４０が消灯される。ステップＳ３５あるいはステップＳ３６の処理が終了すると、ステップＳ２２に戻り前述した処理が行われる。そして、前述したステップＳ１２ないしステップＳ３６の処理が繰り返し行われることにより、チャンネル１〜チャンネルｋにおけるＡＵＸパラメータ値をロータリエンコーダ３０ａ〜３０ｋの操作に応じて調整する処理が行われるようになる。
【００３６】
また、ステップＳ３０にてロータリエンコーダのモードがＡＵＸパラメータを調整するモードではないと判断されると、▲３▼で示される図１４におけるステップＳ４０に進む。ステップＳ４０では、ロータリエンコーダのモードが遅延時間パラメータを調整するモード（DELAY）か否かが判断される。ここで、ステップＳ１０のロータリエンコーダ機能選択処理において遅延時間パラメータを調整するモードが選択されていると、ステップＳ４１に進む。ステップＳ４１では、遅延時間パラメータには基準がないことからチャンネル１の表示器３２ａにおける中央表示素子４０および三角表示素子４１，４２，４３，４６が消灯されて、外枠表示素子４５が点灯される。次いで、ステップＳ４２にてチャンネル１の遅延時間パラメータ値（DLYVALUE）が演算されて求められる。この場合、ＤＬＹ関数（Fdly）の変数としてチャンネル１のロータリエンコーダ値レジスタ（REVALUE）に格納されている値を用いて演算されたＤＬＹ操作量（Fdly[REVALUE]）が、前回のチャンネル１のＤＬＹパラメータ値に加算されてチャンネル１のＤＬＹパラメータ値（DLYVALUE）が求められる。なお、ＤＬＹ関数としてはロータリエンコーダの操作量に重み付けする関数や、操作量を非直線変換する関数とされる。また、最小遅延時間であるＤＬＹパラメータ値は０とされ、最大遅延時間であるＤＬＹパラメータ値DTmaxは任意に定められており、ＤＬＹパラメータ値はこの範囲内とされる。
【００３７】
次いで、チャンネル１の表示器３２ａのバーグラフ表示素子４４における表示エレメント４４ａから、ステップＳ４２で求められたＤＬＹパラメータ値（DLYVALUE）に対応する位置までの表示エレメントがステップＳ４３にて点灯される。ステップＳ４３の処理が終了すると、ステップＳ２２に戻り前述した処理が行われる。そして、ステップＳ１２ないしステップＳ４３の前述した処理が繰り返し行われることにより、チャンネル１〜チャンネルｋにおける遅延時間パラメータ値をロータリエンコーダ３０ａ〜３０ｋの操作に応じて調整する処理がおこなわれるようになる。
【００３８】
また、ステップＳ４０にてロータリエンコーダのモードが遅延時間パラメータを調整するモードではないと判断されると、ステップＳ４４に進む。ステップＳ４４では、ロータリエンコーダのモードがミキシングスイッチ２３のオン／オフパラメータを調整するモード（AUX ON/OFF）か否かが判断される。ここで、ステップＳ１０のロータリエンコーダ機能選択処理においてミキシングスイッチ２３のオン／オフパラメータを調整するモードが選択されていると、ステップＳ４５に進む。ステップＳ４５では、チャンネル１のロータリエンコーダ値レジスタ（REVALUE）に格納されているロータリエンコーダ３０ａの操作量が正か否かが判断される。ここで、ロータリエンコーダ３０ａが右回転されて、その操作量が正とされている場合はステップＳ４６に進み、チャンネル１のミキシングスイッチ２３ａがオンにされる。次いで、ステップＳ４７にてチャンネル１の表示器３２ａのバーグラフ表示素子４４における全表示エレメントと外枠表示素子４５が点灯される。
【００３９】
また、ロータリエンコーダ３０ａが左回転されて、その操作量が負とされている場合はステップＳ４８に進み、チャンネル１のミキシングスイッチ２３ａがオフにされる。次いで、ステップＳ４９にてチャンネル１の表示器３２ａのバーグラフ表示素子４４における全表示エレメントは消灯されるが、外枠表示素子４５は点灯される。
ステップＳ４７あるいはステップＳ４９の処理が終了すると、ステップＳ２２に戻り前述した処理が行われる。そして、ステップＳ１２ないしステップＳ４９の前述した処理が繰り返し行われることにより、チャンネル１〜チャンネルｋにおけるミキシングスイッチ２３のオン／オフパラメータをロータリエンコーダ３０ａ〜３０ｋの操作に応じて調整する処理がおこなわれるようになる。
【００４０】
さらに、ステップＳ４４にてロータリエンコーダのモードがミキシングスイッチ２３のオン／オフパラメータを調整するモードではないと判断されると、▲４▼で示す図１５のステップＳ５０に進む。ステップＳ５０では、ロータリエンコーダのモードが３バンドイコライザ２０における低域ゲイン調整パラメータを調整するモード（EQ LOW G）か否かが判断される。ここで、ステップＳ１０のロータリエンコーダ機能選択処理において低域ゲイン調整パラメータを調整するモードが選択されていると、ステップＳ５１に進む。ステップＳ５１では、低域ゲイン調整パラメータが基準ゲインから偏移している差分のゲインで示されることから、基準ゲインを示すためにチャンネル１の表示器３２ａにおける上三角表示素子（△ｕ）４１と、外枠表示素子４５とが点灯される。次いで、ステップＳ５２にてチャンネル１の低域ゲイン調整パラメータ値（EQLGVALUE）が演算されて求められる。この場合、低域ゲイン関数（Feqlg）の変数としてチャンネル１のロータリエンコーダ値レジスタ（REVALUE）に格納されている値を用いて演算された低域ゲイン操作量（Feqlg[REVALUE]）が、前回のチャンネル１の低域ゲイン調整パラメータ値に加算されてチャンネル１の低域ゲイン調整パラメータ値（EQLGVALUE）が求められる。
【００４１】
なお、低域ゲイン関数としてはロータリエンコーダの操作量に重み付けする関数や、操作量を非直線変換する関数とされる。また、例えば設定可能な最小の低域ゲイン調整パラメータ値は−１２ｄＢとされ、設定可能な最大の低域ゲイン調整パラメータ値は１２ｄＢとされ、低域ゲイン調整パラメータ値は、この範囲内とされる。
次いで、チャンネル１の表示器３２ａのバーグラフ表示素子４４における中央に配置されている表示エレメント４４ｇから、ステップＳ５２で求められた差分の低域ゲイン調整パラメータ値（EQLGVALUE）に対応する位置までの表示エレメントがステップＳ５３にて点灯される。ステップＳ５３の処理が終了すると、ステップＳ２２に戻り前述した処理が行われる。そして、前述したステップＳ１２ないしステップＳ５３の処理が繰り返し行われることにより、チャンネル１〜チャンネルｋにおける低域ゲイン調整パラメータ値をロータリエンコーダ３０ａ〜３０ｋの操作に応じて調整する処理が行われるようになる。
【００４２】
さらにまた、ステップＳ５０にてロータリエンコーダのモードが低域ゲイン調整パラメータを調整するモードではないと判断されると、ステップＳ５４に進む。ステップＳ５４では、ロータリエンコーダのモードとして何も割り当てられていない（NO ASSIGN）か否かが判断される。ここで、アサインスイッチボタン３５にパラメータが何も割り当てられていない場合は、ステップＳ５５に進みチャンネル１の表示器３２ａは全消灯される。ステップＳ５５の処理が終了すると、ステップＳ２２に戻り前述した処理が行われる。そして、前述したステップＳ１２ないしステップＳ５５の処理が繰り返し行われることにより、ロータリエンコーダに何らのモードも割り当てられていない場合はチャンネル１〜チャンネルｋにおける表示器３２を全消灯する処理が行われるようになる。
【００４３】
また、ステップＳ１０のロータリエンコーダ機能選択処理において前述したモード以外の何らかのモードが選択されていると、ステップＳ５４からステップＳ５６に分岐する。ステップＳ５６では、割り当てられているモードにおけるパラメータ設定処理が行われる。ステップＳ５６の処理が終了するとロータリエンコーダ処理は終了しメインプログラムにリターンするようになる。
なお、低域Ｑ調整パラメータ、低域周波数調整パラメータ、中域Ｑ調整パラメータ、中域周波数調整パラメータ、高域Ｑ調整パラメータ、高域周波数調整パラメータのいずれかのパラメータがアサインスイッチボタン３５に割り当てられ、アサインスイッチボタン３５が操作された際には、図示されていないが遅延時間パラメータを調整する前述したステップＳ４０ないしステップＳ４３の処理と同様の処理が行われるようになる。また、中域ゲイン調整パラメータ、高域ゲイン調整パラメータのいずれかのパラメータがアサインスイッチボタン３５に割り当てられ、アサインスイッチボタン３５が操作された際には、図示されていないが低域ゲイン調整パラメータを調整する前述したステップＳ５０ないしステップＳ５３の処理と同様の処理が行われるようになる。
【００４４】
なお、以上説明した実施の形態においては、回転型操作子であるロータリエンコーダに対応するように、円弧状にバーグラフ表示素子４４が配列された図５に示す表示器３２とされていたが、本発明はこれに限らず、例えば直線状に操作するスライド型操作子に対応するように、直線状にバーグラフ表示素子を配列させると共に、その近傍に中央表示素子等の他の表示素子を適宜配置した表示器としてもよいものである。
また、以上の説明では、本発明にかかる表示装置はミキシング・コンソール１に適用されるものとして説明したが、本発明はこれに限らず多数のパラメータを備える機器における表示装置として使用することができる。
【００４５】
【発明の効果】
本発明は以上のように構成されているので、パラメータが予め定められた設定値に設定された際に点灯制御される中央表示素子と、パラメータ値をグラフィカルに表示可能な複数の表示エレメントからなるグラフィカル表示素子と、グラフィカル表示素子の特定の表示エレメントを基準値として表示可能な基準値表示素子とをそなえるようにしたので、種々のパラメータが選択されてもパラメータに応じた特有の表示態様で表示を行うことができるようになる。
例えば、パンパラメータのようにパラメータが音の定位位置を示すパラメータの場合は、弧状に配置されているグラフィカル表示素子の内の特定の表示エレメントが操作子で設定した位置に応じて点灯制御されるようになり、表示手段を見ることにより音の定位位置を所定の位置に容易に設定することができるようになる。この場合、音の定位位置が中央位置となるパラメータの値が基準値とされるが、パラメータが基準値に設定された際にはそれを示すように中央表示素子が点灯制御されて、基準値に設定されたことが表示される。さらに、中央に配置されている表示エレメントを指し示す基準値表示素子が点灯制御されて、基準位置と設定された定位位置との関係を容易に認識できるようにしている。
【００４６】
また、音量のようにパラメータがレベルを示すパラメータの場合は、操作子の設定位置に応じてグラフィカル表示素子の表示エレメントがバーグラフ状に点灯制御されるようになり、表示手段を見ることにより音量を所定のレベルに容易に設定することができるようになる。この場合、音量パラメータの基準値は±０ｄＢとされるが、パラメータが基準値に設定された際にはそれを示すように中央表示素子が点灯制御されて、基準値に設定されたことが表示される。さらに、基準値を示す表示エレメントを指し示す基準値表示素子が点灯制御されて、基準位置からのレベル量を容易に認識できるようにしている。
【００４７】
さらに、イコライザのパラメータのように偏移量を示すパラメータの場合は、操作子の設定位置に応じてグラフィカル表示素子の表示エレメントが中央に配置された前記表示エレメントから左または右にバーグラフ状に点灯制御されるようになり、表示手段を見ることによりパラメータを所定の偏移量に容易に設定することができるようになる。この場合、偏移量の基準値は±０とされるが、パラメータが基準値に設定された際にはそれを示すように中央表示素子が点灯制御されて、基準値に設定されたことが表示される。さらに、±０の偏移量を示す表示エレメントを指し示す基準値表示素子が点灯制御されて、基準位置からの偏移量を容易に認識できるようにしている。
さらにまた、スイッチのパラメータのようにオン／オフを示すパラメータの場合は、オン／オフに応じてグラフィカル表示素子における全表示エレメントが点灯または消灯されるように点灯制御されるようになり、オン／オフパラメータを容易に設定することができるようになる。
【図面の簡単な説明】
【図１】  本発明の表示装置が適用されたミキシング・コンソールの概略構成を示す図である。
【図２】  本発明の表示装置が適用されたミキシング・コンソールにおける機能処理を等価的に示す図である。
【図３】  本発明の実施の形態にかかる表示装置のロータリエンコーダで編集操作されるパラメータを示す図表である。
【図４】  本発明の実施の形態にかかる表示装置におけるロータリエンコーダが備えられている操作パネルの構成を示す図である。
【図５】  本発明の実施の形態にかかる表示装置における表示器の詳細構成を示す図である。
【図６】  本発明の実施の形態にかかる表示装置における表示器の表示態様の一例を示す図である。
【図７】  本発明の実施の形態にかかる表示装置における表示器の表示態様の他の一例を示す図である。
【図８】  本発明の実施の形態にかかる表示装置における表示器の表示態様のさらに他の一例を示す図である。
【図９】  本発明の実施の形態にかかる表示装置における表示器の表示態様のさらに他の一例を示す図である。
【図１０】  本発明の実施の形態にかかる表示装置における表示器の表示態様のさらに他の一例を示す図である。
【図１１】  本発明の表示装置が適用されたミキシング・コンソールのメインプログラムのフローチャートである。
【図１２】  本発明の実施の形態にかかる表示装置におけるロータリエンコーダ処理の一部のフローチャートである。
【図１３】  本発明の実施の形態にかかる表示装置におけるロータリエンコーダ処理の他の一部のフローチャートである。
【図１４】  本発明の実施の形態にかかる表示装置におけるロータリエンコーダ処理のさらに他の一部のフローチャートである。
【図１５】  本発明の実施の形態にかかる表示装置におけるロータリエンコーダ処理のさらに他の一部のフローチャートである。
【符号の説明】
１  ミキシング・コンソール、１０  ＣＰＵ、１１  ＲＯＭ／ＲＡＭ、１２  操作パネル、１３  アナログ・ディジタル変換器群、１４  ディジタル入力インタフェース、１５  ＤＳＰ、１６  ディジタル・アナログ変換器群、１７  ディジタル出力インタフェース、１８  バスライン、２０ａ〜２０ｋ  ３バンドイコライザ、２１ａ〜２１ｋ  遅延回路、２２ａ〜２２ｋ  増幅器、２３ａ〜２３ｋ  ミキシングスイッチ、２４  ミキサ、３０ａ〜３０ｋ    ロータリエンコーダ、３１  表示部、３２ａ  〜３２ｋ表示器、３３  ＰＡＮスイッチボタン、３４  ＡＵＸスイッチボタン、３５  アサインスイッチボタン、４０  中央表示素子、４１  上三角表示素子、４２  左三角表示素子、４３  右三角表示素子、４４  バーグラフ表示素子、４４ａ〜４４ｍ  表示エレメント、４５  外枠表示素子、４６  下三角表示素子、ＩＮ１〜ＩＮｋ  入力端子
【図１】
0003835206.tif 000002
【図２】
0003835206.tif 000003
【図３】
0003835206.tif 000004
【図４】
0003835206.tif 000005
【図５】
0003835206.tif 000006
【図６】
0003835206.tif 000007
【図７】
0003835206.tif 000008
【図８】
0003835206.tif 000009
【図９】
0003835206.tif 000010
【図１０】
0003835206.tif 000011
【図１１】
0003835206.tif 000012
【図１２】
0003835206.tif 000013
【図１３】
0003835206.tif 000014
【図１４】
0003835206.tif 000015
【図１５】
0003835206.tif 000016